(57)【要約】バラストブロックデッキシステムは、現存の屋根面上に高いデッキ（１４）を形成するように横方向を位置決めされた多数のバラストブロック（１２）を持つ。各ブロック（１２）は、所定の厚さと多数のコーナー部分（２２）とを持つ。現存の屋根面の上方で、ある間隔距離を空けてブロック（１２）を支持するために、隣接するバラストブロック（１２）のコーナー部分（２２）の真下に台座組立体（３０）が置かれる。台座組立体（３０）は、コーナー部分（２２）を上に支持するための支持面（４０）を有する支持板（３４）、支持板（３４）にコーナーキャップ（４２）を取外し可能に取り付けるコーナーキャップ（４４）及び台座（３０）のコーナーキャップ（１２）を備える。バラストブロックのコーナー部分（２２）は、バラストブロック（１２）の上面（１６）と同一面であることが好ましく、更に、コーナー部分（２２）は、台座（３０）及びその他のブロック（１２）に関するブロック（１２）の横方向運動を防止するために、コーナーキャップ（４２）から垂れ下がっているフランジ（５６）と協同して組み合うための溝（２０）を持つことが好ましい。
2004513263.tif 000002
【特許請求の範囲】
【請求項１】
現存の屋根構造上に高くされた面（１４）を形成するためのバラストブロックデッキシステムであって、
デッキを形成するように格子状パターンで横方向の位置決めをされた複数のバラストブロック（１２）であって、前記バラストブロック（１２）の各が所定の厚さ（Ｔ１）と多数のコーナー部分（２２）とを有し、前記格子状パターンが交差区域（３２）を含みその中で隣接バラストブロック（１２）のコーナー部分（２２）が伸びる前記バラストブロック（１２）、
前記隣接バラストブロック（１２）の前記コーナー部分（２２）を現存の屋根面の上方で間隔を空けて支持するために前記交差区域（３２）の一つの真下に置かれた台座組立体（３０）
を備え、
前記台座組立体（３０）は前記隣接バラストブロック（１２）の前記コーナー部分（２２）を上に支持するための支持面を有する支持板（３４）を有し、更に前記台座組立体（３０）が、前記隣接バラストブロック（１２）の前記コーナー部分（２２）の上に重なる取外し可能なキャップ（４２）、及び前記バラストブロック（１２）の前記コーナー部分（２２）が前記支持板（３４）と前記キャップ（４２）との間に捕捉されるように前記支持板（３４）に前記キャップ（４２）を外し得るように取り付ける固定具（４４）を有する
バラストブロックデッキシステム。
【請求項２】
前記キャップ（４２）及び前記コーナー部分（２２）が相補的な固定用手段を有する請求項１によるバラストブロックデッキシステム。
【請求項３】
前記キャップ（４２）の前記相補的固定用手段が前記キャップ（４２）から垂れ下がるフランジ（５６）であり、そして前記コーナー部分（２２）の前記相補的固定用手段が前記フランジ（５６）を受け入れるような寸法にされた上向きに開かれた溝（２０）である請求項２によるバラストブロックデッキシステム。
【請求項４】
前記キャップ（４２）が周囲の縁（６０）を有し、更に前記フランジ（５６）が前記周囲の縁（６０）に隣接して前記キャップ（４２）から垂れ下がる請求項３によるバラストブロックデッキシステム。
【請求項５】
前記フランジ（５６）が、前記キャップ（４２）の前記周囲の縁（６０）に沿って連続して伸びる請求項４によるバラストブロックデッキシステム。
【請求項６】
前記バラストブロック（１２）及び前記キャップ（４２）が上面（１６、５４）を有し、更に前記キャップ（４２）の前記上面（５４）が前記バラストブロック（１２）の前記上面（１６）と同一面になり得るように前記コーナー部分（２２）が凹ませられる請求項３によるバラストブロックデッキシステム。
【請求項７】
前記支持板（３４）が、前記支持面上に四分円（４０）を定める半径方向に伸びている多数の直立壁（３８）を有し、そして前記四分円（４０）の各が前記隣接バラストブロック（１２）の前記コーナー部分（２２）の一つを支持する請求項２によるバラストブロックデッキシステム。
【請求項８】
前記支持板（３４）上の前記直立壁（３８）が厚さ（Ｔ２）を有し、この厚さは、前記デッキを通って下にある現存の屋根面への流体の排出を許すように、前記隣接バラストブロック（１２）間の横方向間隔と実質的に等しくかつこの間隔を定める請求項７によるバラストブロックデッキシステム。
【請求項９】
前記固定具（４４）は頭部（４８）とネジ軸部（５０）とを有するネジであり、前記キャップ（４２）は前記頭部（４８）と組み合う中央開口（４６）を有し、そして前記支持板（３４）は前記ネジ軸部（５０）と組み合うための中央に置かれたネジ穴（５２）を有する請求項８によるバラストブロックデッキシステム。
【請求項１０】
前記ネジが、前記バラストブロック（１２）の前記厚さより大きい長さを有する請求項９によるバラストブロックデッキシステム。
【請求項１１】
前記ネジが、これを通る排水路を提供するように、これを通って軸方向に伸びている中央通路（７０）を有する請求項９によるバラストブロックデッキシステム。
【請求項１２】
前記支持板（３４）が前記台座組立体（３０）上に積重ね可能に受けられ、更に前記台座組立体（３０）が少なくも２個の積重ね可能な部材（３４、６８）を有する請求項８によるバラストブロックデッキシステム。
【請求項１３】
前記台座組立体（３０）が成型可能なプラスチック材料で作られる請求項８によるバラストブロックデッキシステム。
【請求項１４】
現存の屋根構造上に高くされた面（１４）を形成するためのバラストブロックデッキシステムであって、
各が上面と底面（１６、２４）とを有しかつ各がコーナー部分（２２）を有し、前記コーナー部分（２２）の前記上面（１６）は各が上向きに開かれた溝（２０）と凹所区域（１８）とを有し、前記溝（２０）が前記凹所区域（１８）より大きい深さを有している多数のバラストブロック（１２）、
現存の屋根面から伸びていてかつ現存の屋根面の上方で間隔を空けた距離に隣接バラストブロック（１２）の多くのコーナー部分（２２）を支持している台座組立体（３０）
を備え、
前記台座組立体（３０）は、前記支持板（３４）上の分離された支持面（４０）を定めている多数の直立壁（３８）を有する支持板（３４）を有し、前記支持面（４０）の各は前記隣接バラストブロック（１２）の１個の前記コーナー部分（２２）の前記底面（２４）と組み合い、
前記台座組立体（３０）は、前記隣接バラストブロック（１２）の前記コーナー部分（２２）の上にあるキャップ（４２）を有し、前記キャップ（４２）は、前記キャップ（４２）が前記隣接バラストブロック（１２）の前記上面（１６）と実質的同一面になるように前記凹所区域（１８）内に座らせられ、かつ前記溝（２０）内に垂れ下がるフランジ（５６）を有し、更に
前記台座組立体（３０）が、前記キャップ（４２）を取外し可能に前記支持板（３４）に取り付けるホールドダウン固定具（４４）を有する
バラストブロックデッキシステム。
【請求項１５】
前記支持板（３４）上の前記直立壁（３８）は厚さ（Ｔ２）を有し、この厚さは、下にある現存の屋根面への前記デッキを通る流体の排出を許すために、前記隣接バラストブロック（１２）間の横方向間隔と実質的に等しくかつこの間隔を定める請求項１４によるバラストブロックデッキシステム。
【請求項１６】
現存の屋根構造の上方で間隔を空けた距離にバラストブロックを支持するための台座組立体（３０）であって、
半径方向に伸びている直立壁（３８）により分離された複数の実質的に平坦なバラストブロック支持面（４０）を有する上方支持板（３４）、
キャップ（４２）と前記上方支持板（３４）とがこれらの間にバラストブロックの一部分を捕捉するように、前記支持面（４０）の上方の間隔を空けた距離で前記上方支持板（３４）に取り外し可能に連結できる前記キャップ（４２）であって、周囲の縁（６０）及び前記周囲の縁（６０）の少なくも一部分に沿って垂れ下がっているフランジ（５６）を有する前記キャップ（４２）、及び
前記キャップ（４２）を前記支持板（３４）に取外し可能に取り付けるホールドダウン固定具（４４）
を備えた台座組立体（３０）。
【請求項１７】
前記直立壁（３８）が前記上方支持板（３４）上の四分円（４０）を定め、前記直立壁（３８）の各は、隣接バラストブロックを通って流体を下にある現存の屋根面に排出できるに十分な隣接バラストブロック間の横方向間隔を定める厚さ（Ｔ２）を有する請求項１６による台座組立体（３０）。
【請求項１８】
前記固定具（４４）が頭部（４８）とネジ軸部（５０）とを有するネジであり、前記キャップ（４２）は前記頭部（４８）と組み合う中央開口（４６）を有し、そして前記支持板（３４）が前記ネジ軸部（５０）と組み合う中央に置かれたネジ穴（５２）を有する請求項１７による台座組立体（３０）。
【請求項１９】
前記固定具（４４）として使用するために種々の長さのネジの組を更に備える請求項１８による台座組立体（３０）。
【請求項２０】
少なくも２個の積重ね可能な部材（３４、６８）を更に備え、前記支持板（３４）は前記積重ね可能な部材（６８）の頂部に積重ね可能に受けられる請求項１６による台座組立体（３０）。
【請求項２１】
前記積重ね可能な部材（６８）が水平補償機能を提供する請求項２０による台座組立体（３０）。
【請求項２２】
前記ネジがこれを通って伸びている排水通路（７０）を有する請求項１８による台座組立体（３０）。
【請求項２３】
現存の屋根構造上に高くされたデッキを形成する際に使用するバラストブロック（１２）であって、上面（１６）を有しかつ各が上向きに開かれた溝（２０）と凹所区域（１８）とを有する少なくも４個のコーナー部分（２２）を備え、前記溝（２０）がバラストブロック（１２）内に前記凹所区域（１８）より大きい深さに伸びているバラストブロック（１２）。
【請求項２４】
前記バラストブロック（１２）の前記コーナー部分（２２）が垂直方向の端部壁（２８）を形成しつつ隅切りされる請求項２３によるバラストブロック（１２）。
【請求項２５】
前記コーナー部分（２２）の各において、前記溝（２０）が前記端部壁（２８）と実質的に平行に伸び、更に前記凹所区域（１８）が前記端部壁（２８）と前記溝（２０）との間で伸びる請求項２４によるバラストブロック（１２）。
【請求項２６】
前記凹所区域（１８）の各の形状が台形である請求項２５によるバラストブロック（１２）。
【発明の詳細な説明】
【０００１】
［発明の分野］
本発明は、一般に建築物の現存の屋根の上に高い通行支持面を設けるために使用されるデッキ舗装システムに関し、より特別には、本発明は、屋根より高い位置においてバラストブロックを組み合わせかつ固定する台座組立体を利用した空気力学的に安定なデッキ舗装システムに関する。
【０００２】
［発明の背景］
多くの建築物は僅かに傾いた屋根構造を有し建築される。この屋根構造は、屋根を中庭又は同等として使用できる実質的に水平な面又はデッキを支持することができる。典型的に、かかる屋根面は、雨水及び溶けた雪及び氷を排水するために水平からある与えられた角度で傾けられる。屋根面自体は、一般に、適切な通行支持面を提供しない材料で作られかつ外見がよくない。
【０００３】
空気力学的に安定な屋根舗装システムの例が、Ｒｅｐａｓｋｙの米国特許５，８８７，３９７号及び５，３７７，４６８号により提供される。開示されたシステムは、強風に曝されたときの浮き上がりに耐えるように設計された足付きでかつ相互に固定されたバラストブロックを利用する。
【０００４】
相互に組み合っていないバラストブロックシステムが、Ｒｅｐａｓｋｙの米国特許５，４４２，８８２号、Ｃｒｅｓｋｅの米国特許４，５７０，３９７号、及びＢｕｚｏｎの米国特許５，５８８，２６４号に明らかにされる。一連の非相互固定式バラストブロックを支持しかつ水平にするために台座が使用される。しかし、非相互固定式バラストブロックは、単に台座の上に置かれるだけでありかつ相互に又は台座に固定する何物もないので、ブロックは交互固定式バラストブロックと比べて、強風により持ち上げられる傾向が強い。
【０００５】
Ｕｅｎｏ他の米国特許５，５４６，５８０号は、現存の屋根面の上方で台座の上に支持された断熱パネル及び上側の保護パネルの使用を含む。このシステムはコーナーキャップを使用し、これが台座に固定されて保護パネルのコーナー部分の上に重なり、これにより保護パネルが台座に捕捉される。
【０００６】
床パネルを支持するために台座を使った種々の屋内用の高床パネルシステムも知られる。例えばＰｒｏｐｓｔの米国特許５，３３３，４２３号、Ｌｉｋｏｚａｒの米国特許４，６２１，４６８号、Ｄｕｃｒｏｕｋの米国特許５，０５２，１５７号及び相当する対応Ｒｅ．３５，３６９，Ｇｅｒｍｅｒｏｔｈ他の４，５７８，９１０号、及びＮａｋａ他の４，９２２，６７０号、４，９９６，８０４号及び５，０７２，５５７号を参照されたい。特に、Ｐｒｏｐｓｔの特許は、コーナーで台座上に支持されかつ固定用ネジにより台座に取り付けられたコーナーキャップを上に置くことにより台座に固定された取外し可能な床パネルを明らかにする。
【０００７】
上の引用特許に明らかにされた屋上のバラストブロック及び屋内の床パネルはある種の環境下では満足に機能するが、強風でなお安定な改良された屋上バラストブロックに対する要求がある。システムは、下の屋根面への適正な排水を許すべきであり、また隣接したバラストブロックのコーナーを互いに固定するための手段を備えるべきである。好ましくは、バラストブロックは、バラストブロックの上向きの運動及び相対的な横方向の運動の両者に耐える方法で台座に固定されねばならない。加えて、バラストブロックシステムは、効率的に製造及び設置ができなければならいし、かつ水平にする機能を提供する積重ね可能な形式の台座と共に使用できなければならない。
【０００８】
［発明の目的］
以上に鑑み、本発明の第１の目的は、建築物の現存の屋根の上に高い通行支持面を形成するための改良されかつ経済的なバラストブロックデッキシステムを提供することである。このシステムは、平均的なデッキ取付工事人が持っている労働熟練度を要求する方法で容易かつ適正に設置できなければならない。
【０００９】
本発明の別の目的は、デッキが強風下で安定を保ち得るようにバラストブロックを支持し、水平にしかつ固定して組み合わせるために台座を利用するバラストブロックデッキシステムを提供することである。
【００１０】
本発明の更なる目的は、バラストブロックの望ましくない上向きの動き又は横方向の動きを防止するように、バラストブロックを支持しかつ確保するための改良された台座組立体を提供することである。
【００１１】
［発明の概要］
より特別には、本発明は、多数のバラストブロックを有し、これらが現存の屋根構造上に高いデッキを形成するために格子状パターンで横方向の位置決めをされたバラストブロックデッキシステムを提供する。バラストブロックの各は所定の厚さ及び多数のコーナー部分を有し、また格子状パターンは隣接バラストブロックのコーナー部分が伸びる交差区域を含む。１個の交差区域の真下に台座組立体が置かれ、そして隣接バラストブロックのコーナー部分を現存の屋根面の上方である間隔距離に支持する。
【００１２】
台座組立体は、コーナー部分を上に支持するための支持面、コーナー部分の上にあるコーナーキャップ、及びコーナーキャップを支持板に取外し可能に取り付けるための固定具を備える。設置されたときは、格子の交差区域内の隣接バラストブロックのコーナー部分が、支持板と台座のコーナーキャップとの間に捕捉される。バラストブロックのコーナー部分は、コーナーキャップとバラストブロックの上面とが同一面になるように凹所区域を有することが好ましく、更に、コーナー部分は、台座及びその他のブロックに関する部分の横方向運動を防ぐために、コーナーキャップから垂れ下がっているフランジと協同して組み合うための溝を持つことが好ましい。
【００１３】
本発明の別の態様により、バラストブロックデッキを支持するための台座組立体が提供される。台座組立体は、上述のように上方支持板、取外し可能なキャップ、及び固定具を備える。
【００１４】
［好ましい実施例の詳細な説明］
さて、図面を参照すれば、図１は建築物の現存の屋根又は同様な構造の外面１０の一部分を示す。一連の長方形のバラストブロック１２が格子状の配列、又はパターンに配列され、これらは屋根の外表面１０の上方で間隔を空けて支持され、実質的に水平の通行支持面１４を提供する。面１４は、美しい外見を提供し、こうしなければ使用できなかった屋根の上の空間を中庭又は同様なものに変える。
【００１５】
好ましくは、図示のように、各バラストブロック１２はコンクリートで作られ、平面は実質的に正方形である。各ブロック１２には、ブロック１２のコーナー部分２２に形成された凹所１８及び溝２０を除いて実質的に平坦な上面１６が設けられる。好ましくは、各ブロックは、実質的に平坦な底面２４を有し、各コンクリート２６は隅切りされて端部壁２８を提供する。上面１６と底面２４とは、実質的に平行であり、そして例えば約３８．１から７６．２ｍｍ（１．５から３インチ）の範囲となし得るブロック１２の厚さＴ１を定める。他の形状、表面の特徴、厚さなどを有するバラストブロックを使用し得ることは勿論である。加えて、その他の形式のレイアウト、又はパターンを使うことができる。
【００１６】
開示が参考文献としてここに取り入れられた米国特許５，４４２，８８２号に明らかにされたように、台座３０は隣接バラストブロック１２のコーナー部分２２を支持するために使われる。このために、バラストブロック１２の格子状配列の各交差区域３２の真下に１個の台座３０が置かれ、デッキ全体が屋根外面１０からある間隔で持ち上げられる。ブロック１２と屋根面１０との間に設けられた間隔及び横方向に位置決めされたブロック１２間の間隔は、雨のような液体のバラストブロックデッキを通り屋根に至る適正な排水を許す。
【００１７】
図３に示されるように、各台座は上方支持板３４を備え、これは中央の直立ハブ３６及びこれから半径方向に伸びている直立壁３８を持つ。ハブ３６は４個のブロック１２の交点に位置決めされ、直立壁３８は分離した四半円の支持面４０を定め、これにより、４個の隣接したブロック１２のコーナー部分を、支持板３４上に容易に位置決めすることができる。直立壁３８の厚さＴ２が、隣接ブロック１２間に所要の排水間隔を定めることを助ける。
【００１８】
各台座３０は、支持板３４に連結し得る取外し可能なキャップ又はコーナーキャップ４２を備える。キャップ４２は、交差区域３２において台座３０がブロック１２を確保するように、４個の隣接したブロックコーナー部分２２の上に重なる。従って、デッキ全体が構造的に一緒に結合され、高層建築物のような建築物の屋上で経験するかも知れないような強風による望ましくない動きによく抵抗する。
【００１９】
キャップ４２を支持板３４に固定するために固定具４４が使用される。このため、固定具４４は、キャップ４２の中央開口４６を通って伸び、支持板３４の中央ハブ３６に確りと組み合う。好ましくは、固定具４４は、キャップ４２と組み合う頭部４８及びハブ３６内に置かれたネジ穴５２と組み合うネジ部５０を有するネジである。図示のように、プラスチック固定具４４は、中央通路７０を有し成型される。中央通路７０の上半分７２は固定具を締めるために六角棒レンチと適合する形にされ、中央通路７０の下半分７４は雨水及び同等のための固定具４４を通る排水路を提供する。ブロックのコーナー部分を台座３０に取り付ける方法において、キャップ４２を支持板３４に連結するための別の固定具を使用し得ることは言うまでもない。
【００２０】
図２及び５に最もよく示されるように、キャップ４２の上面５４がバラストブロック１２の上面１６と同一面になるように、キャップ４２はバラストブロック１２の凹所区域１８と向かい合う。更に、好ましくは、フランジ５６がキャップ４２から垂れ下がり、これが、バラストブロック１２のコーナー部分２２に形成された溝２０の中に伸びる。このため、溝２０とフランジ５６とは相補的な固定用手段を提供して、台座３０に関するバラストブロック１２の横方向運動、及びデッキのその他の部分を形成しているその他のバラストブロック１２に関する横方向運動を防ぐ。上述の機能を提供するために、キャップ及びブロックにその他の相補的な固定用手段を設け得ることは勿論である。
【００２１】
本発明によるバラストブロック１２のコーナー部分２２の説明された実施例が、図３に最もよく示される。ブロック１２のコーナー２６は隅切りされて端部壁２８を形成し、支持板３４上に置かれたとき、この壁が支持板３４のハブ３６のための間隙を提供する。ブロック１２のコーナー部分２２に形成された溝２０は、端部壁２８から間隔を空けられかつこの壁と実質的に平行に伸び、更にバラストブロック１２は、各端部壁２８と各溝２０との間が凹所にされる。従って、図示実施例においては、各コーナー部分２２は端部壁２８から溝２０に至る台形の形状により定められる。溝２０は、凹所区域１８よりもバラストブロック１２内に深く伸び、台座３０に対するブロック１２の横方向の固定を可能とする。
【００２２】
本発明によるバラストブロック１２の寸法の例として、各ブロックは、平面において約６０×６０ｃｍ（２３．５×２３．５インチ）である。各コーナー部分２２は、各側壁２８の長さが約３８．１ｃｍ（１．５インチ）になるように隅切りされる。溝２０はブロック１２の上面１６から約１５．９ｍｍ（０．６２５インチ）の深さに伸び、そして凹所区域１８はブロック１２の上面から約９．５ｍｍ（０．３７５インチ）の深さである。溝２０は、ブロック１２の水平に配置された上面１６から約６０゜の角度で伸びる傾斜壁により形成される。端部壁１８に最寄りの溝２０の縁は端部壁２８と平行であり、かつ端部壁２８から約５４．０ｍｍ（２．１２５インチ）の間隔を空けられる。端部壁２８から最も遠い溝２０の縁は端部壁２８から約７６．２ｍｍ（３インチ）の間隔を空けられる。
【００２３】
図示実施例のキャップ４２は、平面が正方形であり、そしてバラストブロック１２のコーナー部分２２の上に重なる。フランジ５６がキャップ４２の外周６０に隣接してキャップ４２の底面５８から垂れ、キャップ外周６０に沿って連続して伸びる。キャップ４２の中央開口４６は面取りされて、固定具４４の頭部４８がバラストブロック１２の上面１６と同一面になって座ることを許す。その他の形状のキャップも使うことができる。例えば、キャップを平面で円形とし、従属のフランジを円弧状とすることができる。或いは、不連続又は複数列の従属フランジを有するその他の形のキャップ及びフランジを使うことができる。
【００２４】
支持板３４、キャップ４２、及び固定具４４は、耐久性プラスチックで作られることが好ましい。支持板３４の上面６２とキャップ４２の下面５８とは、構成要素の製造に要するプラスチック量を減らすため、及び頑丈な台座構造を提供するために、これらが多数の強化用リブ６４を持つように成型することができる。更に、支持板３４に多数の排水用開口６６を設けることが好ましい。
【００２５】
支持板３４は、好ましくは、米国特許５，４４２，８８２号において明らかにされたような積重ね可能な台座６８上に積み重なるように構成される。この目的で、現存の屋根面１０の上方の所定の高さの水平支持面を提供するように、多数の水平補償材を一緒に積み重ねることができる。
【００２６】
本発明による上述のバラストブロックデッキシステム及び台座組立体は、現存の屋上における安定した高い通行支持面を提供する。このデッキは、設置が容易でかつ製造費が少ない。バラストブロック１２の厚さＴ１に応じて適切な長さの固定具を使えるように、種々の長さの固定具４４の組を各台座３０に設けることができる。適切な長さの固定具４４は、バラストブロック１２の厚さＴ１より僅かに長いことが好ましい。
【００２７】
好ましいバラストブロックデッキシステム及び台座組立体が詳細に説明されたが、特許請求の範囲に定められた本発明によるバラストブロックデッキシステム及び台座組立体の精神及び範囲から離れることなく、種々の変形、変更、及び変化を行うことができる。
【００２８】
本発明の以上及びその他の目的、特徴及び利点は、付属図面を参照した以下の説明より明らかとなるであろう。
【図面の簡単な説明】
【図１】
本発明を使用したバラストブロックデッキシステムの斜視図である。
【図２】
図１に示された線２−２に沿ったバラストブロックデッキシステムの側方断面図である。
【図３】
バラストブロックの上面の上方から見たバラストブロックデシステムの分解斜視図である。
【図４】
バラストブロックの底面の下方から見たバラストブロックデシステムの分解斜視図である。
【図５】
線２−２が固定具まわりで約４５゜回転されたことを除いて図２と同様なバラストブロックデッキシステムの側方断面図である。
【国際公開パンフレット】
2004513263.tif 000003
2004513263.tif 000004
2004513263.tif 000005
2004513263.tif 000006
2004513263.tif 000007
2004513263.tif 000008
2004513263.tif 000009
2004513263.tif 000010
2004513263.tif 000011
2004513263.tif 000012
2004513263.tif 000013
2004513263.tif 000014
2004513263.tif 000015
2004513263.tif 000016
2004513263.tif 000017
2004513263.tif 000018
2004513263.tif 000019
2004513263.tif 000020
2004513263.tif 000021
2004513263.tif 000022
2004513263.tif 000023
【国際調査報告】
2004513263.tif 000024